(57)【要約】      （修正有）【課題】毛髪をストレートに伸ばしたり、髪を整えるために好都合に使用することができる毛髪矯正用具及びこれを用いた毛髪矯正方法を提供する。【解決手段】指サック３と、指の外形を概ね取り囲む円筒状芯体１と、表面の少なくとも一部に多数の突起部７を有する毛髪梳き体２とを備えた毛髪矯正用具。指サック３は、円筒状芯体１の内部に配設され、毛髪梳き体２は、円筒状芯体１の外周面に配設されている。円筒状芯体１は、適度の硬さと、Ｕ字状の切込み１１を設けるのが好ましく、これにより、親指の状態を所要の角度に保持し、リングコームとの密着が良い。また、アイロンで熱くなった髪の毛からの熱を遮断し、親指への火傷防止ができる。【選択図】図３
2018089344.tif 000002
【特許請求の範囲】
【請求項１】
指を挿入するための弾性スリーブ体と、表面の少なくとも一部に突起形状を有して髪に当てるための円筒状の毛髪梳き体とを備え、前記弾性スリーブ体を前記毛髪梳き体の内側に配設したことを特徴とする毛髪矯正用具。
【請求項２】
指を挿入するための弾性スリーブ体と、表面の少なくとも一部に突起形状を有して髪に当てるための毛髪梳き体と、前記毛髪梳き体を支持するための円筒状芯体とを備え、前記弾性スリーブ体を前記円筒状芯体の内側に配設し、前記毛髪梳き体を前記円筒状芯体の外周に配設したことを特徴とする毛髪矯正用具。
【請求項３】
前記円筒状芯体には、ダッカールを持ちやすくするための開口が設けられていることを特徴とする請求項２に記載の毛髪矯正用具。
【請求項４】
前記円筒状芯体の一端部には、前記開口と対向する側にＵ字状の切込みが設けられていることを特徴とする請求項３に記載の毛髪矯正用具。
【請求項５】
前記円筒状芯体は、断面がリング状又はＣ字状に形成され、その一部に被係止部が設けられており、また前記毛髪梳き体はシート状梳き部材から構成され、その一端部に係止部が設けられており、前記シート状梳き部材は、前記係止部を前記被係止部に係止させた後に前記円筒状芯体の外周面に巻き付けるようにして取り付けられることを特徴とする請求項２〜４のいずれかに記載の毛髪矯正用具。
【請求項６】
前記円筒状芯体の前記被係止部は、被係止開口から構成され、前記毛髪梳き体の係止部は、前記被係止開口に係止される係止爪を有する係止部材から構成され、前記シート状梳き部材の前記一端部に、外面側に面ファスナ部を有する第１面ファスナ部材が設けられ、その他端側に内面側に面ファスナ部を有する第２面ファスナ部材が設けられ、前記係止部材は、前記第１面ファスナ部材の外面側に取り付けられ、前記係止部材の前記係止爪を前記円筒状芯体の前記被係止開口に係止させた後に前記円筒状芯体の外周面に巻き付けるようにして前記第１面ファスナ部材の前記面ファスナ部に前記第２面ファスナ部材の前記ファスナ部が係脱自在に装着されることを特徴とする請求項５に記載の毛髪矯正用具。
【請求項７】
前記円筒状芯体は合成樹脂材料又は金属材料から形成され、前記円筒状芯体と前記毛髪梳き体との間に柔軟部材が介在されていることを特徴とする請求項２〜６のいずれかに記載の毛髪矯正用具。
【請求項８】
前記弾性スリーブ体は合成ゴム又はシリコンゴムから形成されたスリーブ状部材又は指サックから構成されていることを特徴とする請求項１〜７のいずれかに記載の毛髪矯正用具。
【請求項９】
請求項１〜８のいずれかに記載の毛髪矯正用具を一方の親指に装着し、リングコームをあてがい毛髪をスライスすることを特徴とする毛髪矯正方法。
【請求項１０】
適度な幅の毛髪をリングコームでまとめて取り、毛髪の根元と親指に装着した前記矯正用具の間に電熱器を入れ、テンションを掛けて電熱器の熱によって根元から伸ばすことを特徴とする請求項９に記載の毛髪矯正方法。
【発明の詳細な説明】
【技術分野】
【０００１】
本発明は、毛髪をストレートに伸ばしたり、毛髪を整えるために使用する毛髪矯正用具及びこれを用いた毛髪矯正方法に関するものである。
【背景技術】
【０００２】
毛髪矯正用具として図１２に示すヘアブラシが知られている。この毛髪矯正用具は、支持軸２４を介して回動自在に連結された一対の握柄２１を備え、これら握柄２１の一端側の内面に植毛部２５が設けられ、これらの植毛部２５が植毛２２の植毛方向に交差可能に構成されている（例えば、特許文献１参照）。この毛髪矯正用具では、これらの植毛部２５間に毛髪を挟持し、このように挟持した状態で強く引っ張ることにより、癖毛をストレートに矯正することができる。
【０００３】
このようなヘアブラシでは、一対の握柄２１の連結部２３内には、これら植毛部２５間で毛髪を挟持するための作業、またこの狭持を開放するための作業を容易とするために、植毛部２５の開放方向に握柄２１を付勢するための発条が介装され、この発条は、対向する一対の握柄２１を常時開放方向に付勢している。言わば、美容業界では、ツインヘアブラシと言って広く使用されている。
【０００４】
髪の毛をストレートにするときには、頭の後ろの下部（以下、「ネ−プ」という）から頭頂部上へと適度に取り分けた（以下、「スライス」という）幅の髪をリングコーム（櫛の事で髪の毛を梳いて整えたり、きちんと取り分ける、片方だけに歯のある柄付きコーム）で取り、ストレートヘアアイロンとツインブラシを使ってストレートにしている。このとき、リングコームで髪の毛を適度のスライス幅に取り、コーミングしてその髪を左手で持ち、このように髪を持った状態にて、リングコームをツインヘアブラシに持ち替え、髪の毛の根元をツインヘアブラシで挟持する。そして、ストレートヘアアイロンの幅が入るぐらいにスライスさせて、そこへストレートヘアアイロンを挟み込み、後はツインヘアブラシとストレートヘアアイロンを同時に毛先までスライドさせてストレートに伸ばしていき、このような作業を繰り返して髪の毛をストレートにしている。
【先行技術文献】
【特許文献】
【０００５】
【特許文献１】実開平６−２９４３４公報
【発明の概要】
【発明が解決しようとする課題】
【０００６】
癖毛の髪をストレートヘアにする技術面の過程において二つの課題がある。
第１の課題は、図１２に示したツインヘアブラシを使用する工程での課題である。この工程では、ストレートヘアアイロンを左手に持ち、右手にはツインヘアブラシ、リングコーム、髪を留めるダッカールを使うことがあり、このときにどうしてもツインヘアブラシとリングコームを同時に持っての作業が難しくなる。また、ツインヘアブラシで指を強く挟むと大半の人は痛みを感じる。髪の毛は施術の状態でキューティクルを痛めやすくなっているのでツインヘアブラシを動かすときには、挟む力を抜き下面のブラシの上に乗せて軽く引く力（以下、「テンション」という）をかけるように動かすテクニックが必要である。
【０００７】
第２の課題は、親指で髪の毛をリングコームで狭持してストレートヘアアイロンでストレートにしていく工程での課題である。１８０℃以上の熱を持ったストレートヘアアイロンで挟持して癖毛を伸ばす重要な工程であり、この工程のときに、親指に挟む髪の毛の幅も狭く、親指はやわらかく丸みが有るため摺動挟持力（挟んで引く力）を一定にするのが難しい。また、１８０℃以上の熱を浴びた髪を早く持つと親指が火傷をするおそれがあるためどうしてもこの工程に時間が掛かってしまう。
【０００８】
本発明は、毛髪をストレートに伸ばしたり、髪を整えるために好都合に使用することができる毛髪矯正用具及びこれを用いた毛髪矯正方法を提供することである。
【課題を解決するための手段】
【０００９】
本願発明の毛髪矯正用具は、指を挿入するための弾性スリーブ体と、表面の少なくとも一部に突起形状を有して髪に当てるための円筒状の毛髪梳き体とを備え、前記弾性スリーブ体を前記毛髪梳き体の内側に配設したことを特徴とする。
【００１０】
また、本発明の毛髪矯正用具は、指を挿入するための弾性スリーブ体と、表面の少なくとも一部に突起形状を有して髪に当てるための毛髪梳き体と、前記毛髪梳き体を支持するための円筒状芯体とを備え、前記弾性スリーブ体を前記円筒状芯体の内側に配設し、前記毛髪梳き体を前記円筒状芯体の外周に配設したことを特徴とする。
【００１１】
これらの毛髪矯正具では、円筒状芯体にダッカールを持ちやすくするための開口を設けるのが好ましく、またこの円筒状芯体の一端部に、この開口と対向する側にＵ字状の切込みを設けるのが好ましい。
【００１２】
また、円筒状芯体を断面がリング状又はＣ字状に形成し、その一部に被係止部を設け、毛髪梳き体をシート状梳き部材から構成し、その一端部に係止部を設け、係止部を被係止部に係止させた後にシート状梳き部材を円筒状芯体の外周面に巻き付けるようにして取り付けるのが好ましく、更に、円筒状芯体の被係止部を被係止開口から構成し、毛髪梳き体の係止部を、被係止開口に係止される係止爪を有する係止部材から構成し、シート状梳き部材の一端部に、外面側に面ファスナ部を有する第１面ファスナ部材を設け、その他端側に、内面側に面ファスナ部を有する第２面ファスナ部材を設け、この係止部材を第１面ファスナ部材の外面側に取り付け、係止部材の係止爪を円筒状芯体の被係止開口に係止させた後に円筒状芯体の外周面に巻き付けるようにして第１面ファスナ部材の面ファスナ部に第２面ファスナ部材のファスナ部を係脱自在に装着するのが好ましい。
【００１３】
更にまた、円筒状芯体を合成樹脂材料又は金属材料から形成し、円筒状芯体と毛髪梳き体との間に柔軟部材を介在させるのが好ましく、また弾性スリーブ体を合成ゴム又はシリコンゴムから形成したスリーブ状部材又は指サックから構成するのが好ましい。
【００１４】
また、本発明の毛髪矯正方法は、上述した毛髪矯正用具を用い、この毛髪矯正用具を一方の親指に装着し、リングコームをあてがい毛髪をスライスすることを特徴とする。この毛髪矯正方法では、適度な幅の毛髪をリングコームでまとめて取り、毛髪の根元と親指に装着した矯正用具の間に電熱器を入れ、テンションを掛けて電熱器の熱によって根元から伸ばすようにするのが好ましい。
【００１５】
例えば、癖毛の毛髪をストレートヘアにする作業でストレートヘアアイロンやヘアドライヤーを使用する工程において、この毛髪矯正用具が好都合に適用される。適度な幅の毛髪をコームで取り、コームで取った毛髪の根元とこの毛髪矯正用具の間にストレートヘアアイロンを入れる。そして、このような状態でテンションを軽く掛けてストレートヘアアイロンと同時にスライスしても髪の毛が逃げない。それは、毛髪梳き体の表面の少なくとも一部に設けられた多数の突起形状（例えば、略Ｊ字形状の糸状突起）が毛髪を引っ掛けるように作用し、これにより、毛髪矯正用具の幅一杯の髪の毛を、素早く綺麗に根元から伸ばすことができる。この工程を繰り返して癖毛の毛髪をストレートに矯正して行く。円筒状芯体は程よい硬さを備え、またその一端部にＵ字状の切込みを設けるのが望ましく、このように構成することにより、円筒状芯体は親指の角度でリングコームとの密着性がよくなり、毛髪矯正の作業効率を高めることができる。また、弾性スリーブ体を毛髪梳き体（又は円筒状芯体）の内側に配設したので、この弾性スリーブ体に親指を挿入することにより、毛髪矯正用具がより安定してその取扱いが非常に容易となり、加えてストレートヘアアイロンで熱くなった髪の毛の熱からも遮断してくれるので、親指への火傷からも守ることができ、その結果、素早い毛髪矯正作業ができ、この作業の時間短縮を図ることができる。また、毛髪をスライスしてダッカールを用いて止めることがあるが、円筒状芯体の胴体に開口を設けることにより、この開口を通してダッカールをつかみ易くなる。
【発明の効果】
【００１６】
この毛髪矯正用具及びこれを用いた毛髪用正方法によれば、上述したように構成されるので、髪の毛の根元から毛先まで均一にテンションが掛けられ、癖毛の伸びが良くキューティクルを整えることで綺麗に仕上がり、髪に艶がでる。また、親指に火傷をしなくなり、安全にかつ早く作業を行うことができ、作業の時間短縮に多いに貢献できると共に、毛髪矯正用具自体の材料コストや生産コストを安くすることができる。
【００１７】
即ち、（１）親指一本で、髪の毛に均一にテンションを掛けることができ、これにより、痛みを感じさせることなく作業を行うことができる。（２）親指一本で、癖毛の伸びが根元から毛先まで良く、キューティクルも整い綺麗に仕上げるこができ、また仕上げた後に髪に艶を持たせることができる。（３）毛髪梳き体（又は円筒状芯体）の内側に弾性スリーブ体を配設したので、この弾性スリーブ体に親指を挿入することにより、装着したときの安定感も増し、また親指の火傷も防止することができる。（４）円筒状芯体に開口を設けた場合、この開口を利用してダッカールを簡単に挟め、作業効率を高めて時間短縮を図ることができる。（５）円筒状芯体に被係止部を設け、
【図面の簡単な説明】
【００１８】
【図１】本願発明の毛髪矯正用具の第一の実施形態を示す斜視図。
【図２】図１の毛髪矯正用具を一部切り欠いて示す斜視図。
【図３】図１に示す毛髪矯正用具を分解して示す分解斜視図。
【図４】図１に示す毛髪矯正用具を分解して示す正面分解図。
【図５】図１に示す毛髪矯正用具を示す断面図。
【図６】図６（ａ）は、図５におけるＶＩ−ＶＩ線による断面図、図６（ｂ）は、図６（ａ）において囲んだ部位を拡大して示す部分拡大断面図。
【図７】図１に示す毛髪矯正用具を用いた毛髪矯正作業を説明するための説明図。
【図８】毛髪梳き体を展開して示す展開図。
【図９】本発明に従う毛髪矯正用具の第２の実施形態を分解して示す分解斜視図。
【図１０】図９の毛髪矯正用具における毛髪梳き体を展開して示す展開図。
【図１１】図１０におけるＢ−Ｂ線による部分断面図。
【図１２】従来のツインヘアブラシを示す斜視図。
【発明を実施するための形態】
【００１９】
以下、本発明に従う毛髪矯正用具の各種実施形態について説明する。まず、図１〜図７を参照して、第１の実施形態の毛髪矯正用具について説明する。図１〜図５において、図示の毛髪矯正用具は、円筒スリーブ状の円筒状芯体１と、この円筒状芯体１の外周に配設された毛髪梳き体２と、この円筒状芯体１の内側に配設された弾性スリーブ体とを備え、この弾性スリーブ体が指サック３から構成されている。弾性スリーブ体としては、指サック３に代えて、比較的柔らかいスリーブ状乃至チューブ状のスリーブ状部材から構成するようにしてもよい。このような弾性スリーブ体（指サック３、スリーブ状部材）は、合成ゴム又はシリコンゴムから形成することができる。指サック３は、この円筒状芯体１の内側に配設され、その後端開口部４１は、この円筒状芯体１の一端側にて外側に折り返されてその一端部４０に装着される。
【００２０】
図示の毛髪梳き体２は、無端状の一部にスリット４２が存在する形態であり、断面形状Ｃ字状に形成されている。この実施形態では、その表面の全域が多数の細かいフック状の突起形状、例えば、略Ｊ字形状の糸状突起（このような糸条突起は、ループ状の糸条突起の先端部を切断することによって形成される）に形成され、この毛髪梳き体２の外周面に毛髪を梳くための多数の突起部７（例えば、糸状突起部）が設けられている。このような突起形状は、例えば、多数の細かいフック状の突起部７が設けられたネット８を毛髪梳き体２の表面に装着する（例えば、接着剤などで固着する）ことにより構成することができる。この毛髪梳き体２を円筒状芯体１の外周面に装着する際には、この円筒状芯体１の他端側の両端９，１０と毛髪梳き体２の他端側の両端４，５とを重ね合わせるようにして装着される（図５参照）。
【００２１】
これら突起部７は、図６（ａ）及び（ｂ）に示すように、Ｊ字状の基端部をネット８に接着剤で固着する、或いはこの基端部をネット８に網付けるなどして取り付けられる。この円筒状芯体１の一端部には、Ｕ字状の切込み１１が設けられ、また円筒状芯体１における切込み１１と対向する部位に、開口１２が設けられ、この開口１２は例えば矩形状に形成される。
【００２２】
円筒状芯体１は、例えば、合成樹脂の成形により形成され、円筒スリーブ状に形成してもよい（この場合、断面形状は円形状となる）が、この実施形態のように、円筒状スリーブ状の一部にスリット４３が存在するように形成してもよく（この場合、断面形状はＣ字状となる）、このように断面Ｃ形状に形成した場合、外側から力を加えることにより、その大きさ（外径）を調整することができる。
【００２３】
このような円筒状芯体１としては、長手方向に互いに対向させた二本の太枠部材及び細枠部材と多数の横枠部材で仕切られた多数の通孔を有したものから構成するようにしてもよく、この場合、通気性を良くすることができ、合成樹脂製の円筒状芯体１であれば、このような一体成形の1枚板状のものに限られることなく、種々の形態のものを用いることができる。
【００２４】
毛髪梳き体２は、例えば、その表面に多数の細かいフック状の突起部７（糸状突起部）を密生させたネット８（シート状梳き部材）から構成され、例えば円筒状芯体１の外周面に巻きつけられる。この毛髪梳き体２（例えば、ネット８）は、例えば、両面テープ、接着剤などにより円筒状芯体１の外周表面に取り付けられる。これらの細かい突起部７は、円筒状芯体１に直接的に植毛してもよく、この場合、この円筒状芯体１は毛髪梳き体２の一部として機能する。また、このように構成することに代えて、ネット８のベース部に強度を持たせるようにしてもよく、この場合、円筒状芯体１を省略することができる。
【００２５】
指サック３（弾性スリーブ体）は、その先端側を円筒状芯体１内に挿入し、このように挿入した状態でその後端開口部４１を円筒状芯体１の一端側にて外側に折り返してこの円筒状芯体１の一端部４０に装着されるが、その装着については、折り返して被せるようにしなくてもよい。例えば、この指サック３の後端開口部４１を加熱して溶着するようにしてもよく、このように溶着することにより確実に取り付けることができる。尚、指サック３の折り返した後端開口部４１は、円筒状芯体１に装着される毛髪梳き体２で被うようにすることにより外観をきれいにすることができるが、この毛髪梳き体２で被うようにしなくてもよい。
【００２６】
さらに、この毛髪矯正用具では、図２〜図５に示したように、円筒状芯体１の一端部にＵ字状の切込み１１が設けられている。毛髪矯正用具を使用するときに円筒状芯体１の内側の指サック３に親指を挿入するが、この挿入の際に親指の一部がこの切込み１１に入るようになり、このように親指を切込み１１に入れることにより、親指の動きの角度が広くなるとともに反りやすくなり、その結果、リングコームに平行に当てやすくなり、また髪に均一なテンションを掛けやすくなる。
【００２７】
また、この円筒状芯体１に開口１２が設けられている。この開口１２は、Ｕ字状の切込み１１が設けられた部位と対向する部位に設けるのが好ましく、このように開口１２を設けることでダッカール（図７参照）が持ちやすくなり、髪をスライスして止める作業がスムーズに行うことができる。
【００２８】
このように切込み１１を入れた場合、図２に示すように、指サック３を円筒状芯体１の切込み１１でもそり返して取り付けるようにするのが好ましく、このようにすることによって、指サック３自体がクッションの役割を果たし、指サック３に挿入した親指が直接的に切込み１１の開口部に当たって痛くなるのを抑えることができる。また、この指サック３については、少し厚みを持たせれば多少の指のサイズにも適応し簡単に抜けず安定して持てるようになる。このとき、指サック３のそり返しは、例えば、円筒状芯体１と毛髪梳き体２の間に挟み込むように装着して接着されるので、簡単に取れることはない。
【００２９】
また、この毛髪矯正用具は、従来ある物を適応させることで、製作や加工にも手間が掛からないものとなり、そこに指サック３を組み込むことと、Ｕ字状の切込み１１や開口１２を設けることで、まったく新しい商品ができあがる。
【００３０】
この毛髪矯正用具は、図７に示すようにして用いられる。毛髪矯正用具は、指サック３内に挿入した一方の親指（例えば、右手の親指）で保持されるようになる。毛髪をスライスするときには、親指で保持した毛髪矯正用具にリングコームをあてがうようにして行われる。また、ストレートに伸ばすときには、適度な幅の毛髪をリングコームでまとめて取り、リングコームで取った髪の毛に親指で保持した毛髪矯正用具を外側からあてがう。
【００３１】
そして、リングコームでまとめ取った毛髪の根元と親指に装着した毛髪矯正用具との間に電熱器（ストレートヘアアイロン）を入れ、毛髪矯正用具とリングコームで均一なテンションを掛けながら電熱器の熱によって根元から伸ばすようし、このように毛髪矯正用具及びリングコームと電熱器とを髪の毛の先端に向けて動かしてストレートに伸ばす。
【００３２】
上述した形態では、毛髪梳き体２の表面の全域を突起形状としている（換言すると、突起部７を設けている）が、このような突起形状を毛髪梳き体２の表面の少なくとも一部に設ける（例えば、毛髪梳き体２の一端から他端までの所定幅の一部）ことによって、所定の効果が達成される。
【００３３】
また、例えば、上述した形態では、毛髪梳き体２を断面形状Ｃ字状に形成しているが、無端状に形成して円筒状芯体１に被せて接着剤で固定するようにしてもよく、或いは図８に示すように構成することもできる。図８において、この形態では、ネット３０（シート状梳き部材）の一端部に凸状（又は凹状）の第１面ファスナ３２が設けられ、その他端部に凹状（又は凸状）の第２面ファスナ３１が設けられ、かかる第１面ファスナ３２と第２面ファスナ３１とが係脱自在に係合される。このようなネット３０は、円筒状芯体１（図３、図４参照）の外面に巻かれて円筒状の毛髪梳き体を構成する。毛髪梳き体としてこのような形態のものを用いるようにしてもよい。断面Ｃ字状の円筒状芯体１とこのようなネット３０（シート状梳き部材）とを組み合わせて用いた場合、このネット３０（シート状梳き部材）の巻き強さを調整することにより、円筒状芯体１（換言すると、毛髪梳き体）の外径を調整することができる。また、ネット３０と円筒状芯体１との間にシート状の弾性部材（図示せず）を介在させ、この弾性部材により円筒状芯体１の外径を調整するとともに、この円筒状芯体１の外周表面に幾分かの弾性を持たせるようにしてもよい。
【００３４】
毛髪矯正用具は、図９〜図１１に示すように構成するようにしてもよい。この毛髪矯正用具の第２の実施形態においては、円筒状芯体及び毛髪梳き体に改良が施されている。
【００３５】
図９〜図１１において、図示の毛髪矯正用具においては、円筒状芯体１Ａは断面Ｃ字状に形成され、矩形状の開口１２及び切込み１１に加えて、被係止部として機能する一対の被係止開口５２が設けられている。この一対の被係止開口５２は、円筒状芯体１Ａにおける一端と開口１２との間の部位に設けられる。
【００３６】
また、図示の毛髪梳き体２Ａはシート状梳き部材５４から構成され、この毛髪梳き体２Ａの一端部に係止部５６が設けられている。この係止部５６は、円筒状芯体１Ａ側の被係止開口５２に係止される係止爪５８を有する係止部材６０から構成される。
【００３７】
この実施形態では、シート状梳き部材５４の一端部に、外面側に面ファスナ部６２を有する第１面ファスナ部材６４が設けられ、この第１面ファスナ部材６４の一端側の外面に、例えば接着剤などにより係止部材６０が固着され、第１面ファスナ部材６４の面ファスナ部６２の他端側が係止部材６０から露出し、この露出する他端部がシート状梳き部材５４に取り付けられている。また、このシート状梳き部材５４の他端部に、内面側に面ファスナ部６６を有する第２面ファスナ部材６８が設けられている。第１面ファスナ部材６４の面ファスナ部６２として凸状（又は凹状）のものを用い、第２面ファスナ部材６８の面ファスナ部６６として凹状（又は凸状）のものを用いることができる。
【００３８】
この実施形態では、更に、係止部材６０の一端側に、係止爪５８の配設部位に対応して矩形状の切欠き７０が設けられ、この切欠き７０を通して第１面ファスナ部材６４の面ファスナ部６２が露出している。尚、第１面ファスナ部材６４及び第２ファスナ部材６８は、シート状梳き部材５４に、例えば超音波溶着、接着剤などにより固着するようにしてもく、或いはこのシート状梳き部材５４に縫い付けるようにしてもよい。
【００３９】
このような毛髪梳き体２Ａは、係止部材５６の係止爪５８を円筒状芯体１Ａの被係止開口５２に係止させた後にこの円筒状芯体１Ａの外周面に巻き付け、このように巻き付けた状態にて第２面ファスナ部材６８の内面側の面ファスナ部６６を第１面ファスナ部材６４の外面側の面ファスナ部６２に係合することにより、この円筒状芯体１Ａの外周面に装着され、この巻付け強度を調整することにより、円筒状芯体１Ａの外径、即ち毛髪矯正用具の大きさを調整することができる。
【符号の説明】
【００４０】
１，１Ａ  円筒状芯体
２，２Ａ  毛髪梳き体
３  指サック（弾性スリーブ体）
７  突起部
８，３０  ネット
１１  Ｕ字状の切込み
１２  開口
【図１】
2018089344.tif 000003
【図２】
2018089344.tif 000004
【図３】
2018089344.tif 000005
【図４】
2018089344.tif 000006
【図５】
2018089344.tif 000007
【図６】
2018089344.tif 000008
【図７】
2018089344.tif 000009
【図８】
2018089344.tif 000010
【図９】
2018089344.tif 000011
【図１０】
2018089344.tif 000012
【図１１】
2018089344.tif 000013
【図１２】
2018089344.tif 000014
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
指を挿入するための弾性スリーブ体と、表面の少なくとも一部に突起形状を有して髪に当てるための毛髪梳き体と、前記毛髪梳き体を支持するための円筒状芯体とを備え、前記円筒状芯体には、ダッカールを持ちやすくするための開口が設けられており、前記弾性スリーブ体が前記円筒状芯体の内側に配設され、前記毛髪梳き体が前記円筒状芯体の外周に配設されていることを特徴とする毛髪矯正用具。
【請求項２】
前記円筒状芯体の一端部には、前記開口と対向する側にＵ字状の切込みが設けられていることを特徴とする請求項１に記載の毛髪矯正用具。
【請求項３】
指を挿入するための弾性スリーブ体と、表面の少なくとも一部に突起形状を有して髪に当てるための毛髪梳き体と、前記毛髪梳き体を支持するための円筒状芯体とを備え、前記円筒状芯体は、断面がリング状又はＣ字状に形成され、その一部に被係止部が設けられており、また前記毛髪梳き体はシート状梳き部材から構成され、その一端部に係止部が設けられており、前記弾性スリーブ体が前記円筒状芯体の内側に配設され、前記毛髪梳き体が前記円筒状芯体の外周に配設され、前記シート状梳き部材は、前記係止部を前記被係止部に係止させた後に前記円筒状芯体の外周面に巻き付けるようにして取り付けられることを特徴とする毛髪矯正用具。
【請求項４】
前記円筒状芯体の前記被係止部は、被係止開口から構成され、前記毛髪梳き体の係止部は、前記被係止開口に係止される係止爪を有する係止部材から構成され、前記シート状梳き部材の前記一端部に、外面側に面ファスナ部を有する第１面ファスナ部材が設けられ、その他端側に内面側に面ファスナ部を有する第２面ファスナ部材が設けられ、前記係止部材は、前記第１面ファスナ部材の外面側に取り付けられ、前記係止部材の前記係止爪を前記円筒状芯体の前記被係止開口に係止させた後に前記円筒状芯体の外周面に巻き付けるようにして前記第１面ファスナ部材の前記面ファスナ部に前記第２面ファスナ部材の前記ファスナ部が係脱自在に装着されることを特徴とする請求項３に記載の毛髪矯正用具。
【請求項５】
前記円筒状芯体は合成樹脂材料又は金属材料から形成され、前記円筒状芯体と前記毛髪梳き体との間に柔軟部材が介在されていることを特徴とする請求項１〜４のいずれかに記載の毛髪矯正用具。
【請求項６】
前記弾性スリーブ体は合成ゴム又はシリコンゴムから形成されたスリーブ状部材又は指サックから構成されていることを特徴とする請求項１〜５のいずれかに記載の毛髪矯正用具。
【請求項７】
請求項１〜６のいずれかに記載の毛髪矯正用具を一方の親指に装着し、リングコームをあてがい毛髪をスライスすることを特徴とする毛髪矯正方法。
【請求項８】
適度な幅の毛髪をリングコームでまとめて取り、毛髪の根元と親指に装着した前記矯正用具の間に電熱器を入れ、テンションを掛けて電熱器の熱によって根元から伸ばすことを特徴とする請求項７に記載の毛髪矯正方法。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
本発明の毛髪矯正用具は、指を挿入するための弾性スリーブ体と、表面の少なくとも一部に突起形状を有して髪に当てるための毛髪梳き体と、前記毛髪梳き体を支持するための円筒状芯体とを備え、前記円筒状芯体には、ダッカールを持ちやすくするための開口が設けられており、前記弾性スリーブ体が前記円筒状芯体の内側に配設され、前記毛髪梳き体が前記円筒状芯体の外周に配設されていることを特徴とする。
【手続補正４】
【補正対象書類名】明細書
【補正対象項目名】００１１
【補正方法】変更
【補正の内容】
【００１１】
この毛髪矯正具では、毛髪梳き体を支持するための円筒状芯体の一端部に、ダッカ−ルを持ちやすくするための開口と対向する側にＵ字状の切込みを設けるのが好ましい。
【手続補正５】
【補正対象書類名】明細書
【補正対象項目名】００１２
【補正方法】変更
【補正の内容】
【００１２】
また、本発明の毛髪矯正用具は、指を挿入するための弾性スリーブ体と、表面の少なくとも一部に突起形状を有して髪に当てるための毛髪梳き体と、前記毛髪梳き体を支持するための円筒状芯体とを備え、前記円筒状芯体は、断面がリング状又はＣ字状に形成され、その一部に被係止部が設けられており、また前記毛髪梳き体はシート状梳き部材から構成され、その一端部に係止部が設けられており、前記弾性スリーブ体が前記円筒状芯体の内側に配設され、前記毛髪梳き体が前記円筒状芯体の外周に配設され、前記シート状梳き部材は、前記係止部を前記被係止部に係止させた後に前記円筒状芯体の外周面に巻き付けるようにして取り付けられることを特徴とする。
この毛髪矯正用具では、円筒状芯体の被係止部を被係止開口から構成し、毛髪梳き体の係止部を、被係止開口に係止される係止爪を有する係止部材から構成し、シート状梳き部材の一端部に、外面側に面ファスナ部を有する第１面ファスナ部材を設け、その他端側に、内面側に面ファスナ部を有する第２面ファスナ部材を設け、この係止部材を第１面ファスナ部材の外面側に取り付け、係止部材の係止爪を円筒状芯体の被係止開口に係止させた後に円筒状芯体の外周面に巻き付けるようにして第１面ファスナ部材の面ファスナ部に第２面ファスナ部材のファスナ部を係脱自在に装着するのが好ましい。